(57)【要約】【課題】払出装置から払い出される遊技球を遊技球供給皿に直接誘導する誘導部材を設けることにより、パチンコ機本体側に存在し遊技球供給皿へ遊技球を排出する遊技球出口を無くし、遊技球出口から異物を挿入して遊技領域の釘、役物に対して行われる各種不正工作を防止することが可能なパチンコ機を提供する。【解決手段】カード式玉貸機３１を備えるパチンコシステムにおけるパチンコ機１において、賞球払出装置１７に連結されるとともにカード式玉貸機３１の表裏方向に貫通されてパチンコ機１の裏面側から前面側に突出され、賞球払出装置１７から払い出された遊技球をパチンコ機１の裏面側から前面側に賞球払出装置１７から直接誘導して上皿７に排出する遊技球誘導部材３８を設けるように構成する。【選択図】図１
2011110142.tif 000002
【特許請求の範囲】
【請求項１】
入賞装置が配設された遊技領域と、
遊技球を前記遊技領域に発射する発射装置と、
遊技者側たる表側において開閉自在に配設された可動プレートと、
前記可動プレートにおいて表側に突設され、前記発射装置に供給される遊技球を貯留する遊技球供給皿と、
遊技球が前記入賞装置に入賞した際に賞球の払出を指令する主制御装置と、
前記遊技球供給皿よりも上方でかつ裏側に配置され、前記主制御装置から発せられる指令に基づき遊技球を払い出す払出装置とを備えたパチンコ機と、
前記パチンコ機に隣接して配置され、貨幣又は有価媒体を受け付ける付属機器と、
前記付属機器が受け付けた貨幣又は有価媒体が有する有価価値に相当する遊技球を前記パチンコ機の前記遊技球供給皿へ払い出す球貸装置とを備えたパチンコシステムにおいて、
前記付属機器の筐体には表裏方向へ貫通する遊技球誘導路が形成され、該遊技球誘導路の裏口には前記パチンコ機の前記払出装置が接続され、前記付属機器の前記筐体の前面側には前記遊技球誘導路の表口をなす遊技球誘導部が突設されており、
前記パチンコ機の前記払出装置から払い出された遊技球を、前記付属機器の前記遊技球誘導路を経由させて裏側から表側へ誘導するとともに、前記遊技球誘導部を介して前記遊技球供給皿へと排出するようにしたことを特徴とするパチンコシステム。
【請求項２】
入賞装置が配設された遊技領域と、
遊技球を前記遊技領域に発射する発射装置と、
遊技者側たる表側において開閉自在に配設された可動プレートと、
前記可動プレートにおいて表側に突設され、前記発射装置に供給される遊技球を貯留する遊技球供給皿と、
遊技球が前記入賞装置に入賞した際に賞球の払出を指令する主制御装置と、
前記遊技球供給皿よりも上方でかつ裏側に配置され、前記主制御装置から発せられる指令に基づき遊技球を払い出す払出装置とを備えたパチンコ機において、
前記可動プレートに隣接して固定プレートが設けられ、該固定プレートには表裏側方向へ貫通する遊技球誘導路が形成され、該遊技球誘導路の裏口には前記払出装置が接続され、該遊技球誘導路の表口は前記遊技球供給皿に臨む位置で開口されており、
前記払出装置から払い出された遊技球を、前記固定プレートの前記遊技球誘導路を経由させて裏側から表側へと誘導するとともに、該遊技球誘導路の前記表口から前記遊技球供給皿へと排出するようにしたことを特徴とするパチンコ機。
【発明の詳細な説明】
【技術分野】
【０００１】
本発明は、払出装置から払い出される遊技球を遊技球供給皿に直接誘導する誘導路を設けることにより、パチンコ機本体側に存在していた遊技球供給皿へ遊技球を排出する遊技球出口を無くし、遊技球出口から異物を挿入して遊技領域の釘、役物に対して行われる各種不正工作を防止することが可能なパチンコシステム及びパチンコ機に関する。
【背景技術】
【０００２】
従来のパチンコ機、例えば、特開２００８−６３１０号公報に記載されたパチンコ遊技機では、上玉受皿が設けられた上皿基板が、パチンコ機の本体に対して開閉可能に取り付けられており、また、上玉受皿が設けられた基板には、賞品球供給口が開口されている。かかる賞品球供給口には、後方に向けて突出した賞品球供給筒が取り付けられており、この賞品球供給筒は遊技盤の下端に設けられた賞品球排出口に連通して賞品球タンクから供給された賞品球を賞品球排出口を介して上玉受皿に導くように構成されている。
【先行技術文献】
【特許文献】
【０００３】
【特許文献１】特開２００８−６３１０号公報
【発明の概要】
【発明が解決しようとする課題】
【０００４】
前記特許文献１に記載されたパチンコ遊技機において、上皿基板は、発射ハンドルを含む発射装置の保守・点検を行う際に開閉操作されるが、このようにパチンコ機本体に対して上皿基板を開閉可能に構成する関係上、パチンコ機本体と上皿基板との間には必然的に隙間が発生する。
【０００５】
ところで、前記のようにパチンコ機本体と上皿基板との間に隙間が存在すると、かかる隙間に起因して賞品球供給筒と賞品球排出口との間にも隙間が発生してしまう。そして、賞品球供給口、賞品球供給筒からピアノ線等の異物を挿入し、賞品球供給筒と賞品球排出口との間の隙間からパチンコ遊技機内部にまで挿入して遊技盤の遊機領域に存在する釘や役物に対して不正行為が行われる虞が多分にある。
【０００６】
従って、前記特許文献１に記載されたパチンコ遊技機におけるように、上玉受皿の基板に賞品球供給口を開口するとともにこの開口に賞品球供給筒を取り付け、賞品球供給筒を遊技盤の下端に設けられた賞品球排出口に連通して賞品球タンクから供給された賞品球を賞品球排出口を介して上玉受皿に導くように構成する場合には、発射装置の保守・点検のために上皿基板を開閉可能とする関係上、賞品球供給筒と遊技盤側の賞品球排出口との間に隙間が必然的に発生してしまうことから、たとえ上皿基板を閉じている場合でも、前記のような不正行為が行われることとなる。
【０００７】
本発明は前記従来における問題点を解消するためになされたものであり、払出装置から払い出される遊技球を遊技球供給皿に直接誘導する誘導路を設けることにより、パチンコ機本体側に存在し遊技球供給皿へ遊技球を排出する遊技球出口を無くし、遊技球出口から異物を挿入して遊技領域の釘、役物に対して行われる各種不正工作を防止することが可能なパチンコシステム及びパチンコ機を提供することを目的とする。
【課題を解決するための手段】
【０００８】
前記目的を達成するため請求項１に係るパチンコシステムは、入賞装置が配設された遊技領域と、遊技球を前記遊技領域に発射する発射装置と、遊技者側たる表側において開閉自在に配設された可動プレートと、前記可動プレートにおいて表側に突設され、前記発射装置に供給される遊技球を貯留する遊技球供給皿と、遊技球が前記入賞装置に入賞した際に賞球の払出を指令する主制御装置と、前記遊技球供給皿よりも上方でかつ裏側に配置され、前記主制御装置から発せられる指令に基づき遊技球を払い出す払出装置とを備えたパチンコ機と、前記パチンコ機に隣接して配置され、貨幣又は有価媒体を受け付ける付属機器と、前記付属機器が受け付けた貨幣又は有価媒体が有する有価価値に相当する遊技球を前記パチンコ機の前記遊技球供給皿へ払い出す球貸装置とを備えたパチンコシステムにおいて、前記付属機器の筐体には表裏方向へ貫通する遊技球誘導路が形成され、該遊技球誘導路の裏口には前記パチンコ機の前記払出装置が接続され、前記付属機器の前記筐体の前面側には前記遊技球誘導路の表口をなす遊技球誘導部が突設されており、前記パチンコ機の前記払出装置から払い出された遊技球を、前記付属機器の前記遊技球誘導路を経由させて裏側から表側へ誘導するとともに、前記遊技球誘導部を介して前記遊技球供給皿へと排出するようにしたことを特徴とする。
【０００９】
前記請求項１に係るパチンコシステムでは、パチンコ機に隣接して配置され貨幣又は有価媒体を受け付ける付属機器の筐体には表裏方向へ貫通する遊技球誘導路が形成され、遊技球誘導路の裏口にはパチンコ機の払出装置が接続され、付属機器の筐体の前面側には遊技球誘導路の表口をなす遊技球誘導部が突設されており、また、パチンコ機の払出装置から払い出された遊技球を、付属機器の遊技球誘導路を経由させて裏側から表側へ誘導するとともに、遊技球誘導部を介して遊技球供給皿へと排出するように構成されているので、遊技球を遊技領域に発射する遊技球発射装置の保守・点検の必要上から遊技球供給皿が設けられた可動プレートを開閉自在に配設することに起因して可動プレートとパチンコ機本体との間に隙間が発生したとしても、遊技領域までピアノ線等の異物を挿入するための開口部は全く存在することはなく、従って、異物が遊技領域まで挿入されることを確実に防止することが可能となる。これより、異物を介して遊技領域の釘、役物に対して行われる各種不正工作を確実に防止することができる。
【００１０】
また、請求項２に係るパチンコ機は、入賞装置が配設された遊技領域と、遊技球を前記遊技領域に発射する発射装置と、遊技者側たる表側において開閉自在に配設された可動プレートと、記可動プレートにおいて表側に突設され、前記発射装置に供給される遊技球を貯留する遊技球供給皿と、遊技球が前記入賞装置に入賞した際に賞球の払出を指令する主制御装置と、前記遊技球供給皿よりも上方でかつ裏側に配置され、前記主制御装置から発せられる指令に基づき遊技球を払い出す払出装置とを備えたパチンコ機において、前記可動プレートに隣接して固定プレートが設けられ、該固定プレートには表裏側方向へ貫通する遊技球誘導路が形成され、該遊技球誘導路の裏口には前記払出装置が接続され、該遊技球誘導路の表口は前記遊技球供給皿に臨む位置で開口されており、前記払出装置から払い出された遊技球を、前記固定プレートの前記遊技球誘導路を経由させて裏側から表側へと誘導するとともに、該遊技球誘導路の前記表口から前記遊技球供給皿へと排出するようにしたことを特徴とする。
【００１１】
請求項２に係るパチンコ機では、遊技者側たる表側にて開閉自在に配設された可動プレートに隣接して固定プレートが設けられ、固定プレートには表裏側方向へ貫通する遊技球誘導路が形成され、遊技球誘導路の裏口には払出装置が接続され、遊技球誘導路の表口は遊技球供給皿に臨む位置で開口されており、また、払出装置から払い出された遊技球を、固定プレートの遊技球誘導路を経由させて裏側から表側へと誘導するとともに、遊技球誘導路の前記表口から前記遊技球供給皿へと排出するように構成されているので、遊技球を遊技領域に発射する遊技球発射装置の保守・点検の必要上から遊技球供給皿が設けられた可動プレートを開閉自在に配設することに起因して可動プレートとパチンコ機本体との間に隙間が発生したとしても、遊技領域までピアノ線等の異物を挿入するための開口部は全く存在することはなく、従って、異物が遊技領域まで挿入されることを確実に防止することが可能となる。これより、異物を介して遊技領域の釘、役物に対して行われる各種不正工作を確実に防止することができる。
【図面の簡単な説明】
【００１２】
【図１】第１実施形態に係るパチンコシステム及びパチンコ機の前面図及び裏面図である。
【図２】第２実施形態に係るパチンコシステム及びパチンコ機の前面図及び裏面図である。
【図３】第３実施形態に係るパチンコ機の前面図及び裏面図である。
【発明を実施するための形態】
【００１３】
以下、本発明に係るパチンコシステム及びパチンコ機について、本発明を具体化した第１実施形態乃至第３実施形態に基づき図面を参照しつつ説明する。
【００１４】
［第１実施形態］
先ず、図１に基づき第１実施形態に係るパチンコシステム及びパチンコ機について説明する。
図１に示すように、第１実施形態に係るパチンコシステムは、パチンコ機１とカード式玉貸機３１（後述する）とから構成されている。パチンコ機１は、所定量のパチンコ球を賞球として払い出す、いわゆる第１種パチンコ機で、一般にＣＲ機（カードリーディング機）と称され、パチンコシステムとしてカード式球貸機３１とパチンコ機１とによって構成され、これらは対をなして設置されている。
【００１５】
また、パチンコ機１は、木製の外枠１１に対して合成樹脂製の前枠３が、前枠取付用ヒンジを構成する上ヒンジ３Ａ及び下ヒンジ３Ｂを介して外枠１１に対して開閉自在に取り付けられている。そして、この前枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技領域を見ることができるように構成されている。かかる遊機領域には、入賞口、図柄表示装置、電動役物及びゲート等の各種構造物が配設されている。
【００１６】
また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１７】
また、前面カバー部材４の右側中央部には、前枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
【００１８】
また、この前面カバー部材４の下側には、賞球払出装置１７を介して払い出される賞球を受ける上皿７がスピーカ７Ａを内蔵して合成樹脂製可動プレート８に配設されている。また、この可動プレート８は、左端縁部の上下を軸支されて、前面カバー部材４を開放後、内側に設けられた不図示のレバーを下げることにより開放できるように取付けられている。また、この上皿７の中央前面部には、カード式球貸機３１の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０によって駆動制御される発射装置１２へ送られるよう構成されている。
【００１９】
また、図１に示すように、パチンコ機１の裏側最上段には、上方に開口した賞球タンク１５が機構セット盤１６に固定されている。賞球タンク１５は、傾斜した底面に連通孔が形成され、その連通孔の下方にはパチンコ球を２列に整列流出し、賞球払出装置１７にパチンコ球を送る通路を形成するタンクレール１８が取付けられている。
【００２０】
また、タンクレール１８の下側には不図示の液晶表示器（ＬＣＤ）等をカバーする樹脂製のセンターカバー１９が取付けられている。そして、このセンターカバー１９の背面部内側には、スピーカ７Ａを駆動制御する音制御基板２０、各電飾ランプ６Ａ、６Ｂ等を駆動制御するランプ制御基板２１、及びＬＣＤ等を駆動制御する表示制御基板２２が取り付けられている。また、センターカバー１９の下側には、パチンコ機１の遊技動作を制御する主基板２３が内蔵される基板ケース２５が配設されている。尚、主基板２３前側には、前記賞球払出装置１７に対して払出信号を送信する賞球払出制御基板が配設されており、かかる賞球払出制御基板からの払出信号に基づき賞球払出装置１７から遊技球が払い出される。また、基板ケース２５の下方には、上皿７から溢れた賞球を受けて下皿９に案内する下部受皿ボックス２６がボルトにより前枠３の裏側に取り付けられている。
【００２１】
また、発射装置１２は、反復回動自在に取り付けられて供給されるパチンコ球を連続的に叩打する槌２８を不図示のカム機構等を介して駆動する発射モータ２９や駆動回路部３０等から構成され、該駆動回路部３０は、操作ハンドル１０の内部に取り付けられる可変抵抗器（不図示）を介して発射モータ２９への供給電力が調節され、槌２８のパチンコ球の発射勢を強めたり、弱めたりすることが可能なように構成されている。これにより、遊技者が操作ハンドル１０における回動操作部材の回動量を調節することによって、可変抵抗器の抵抗値が増減され、槌２８によるパチンコ球の発射勢の加減を適宜行うことができるように構成されている。
【００２２】
カード式玉貸機３１について説明すると、パチンコ機１に隣接して配置されたカード式玉貸機３１の上下方向における略中央には、カード挿入口３２が配設されている。かかるカード式玉貸機３１には、有価媒体としてのプリペイドカードがカード挿入口３２に挿入された際に、そのプリペイドカードを認識するカードセンサ、プリペイドカードに記憶された有価価値を読み取るカードリーダ等から構成されてプリペイドカードを受け付ける付属機器が設けられている。尚、かかる付属機器は、プリペイドカードに代えて貨幣（コイン、紙幣）を直接受け付けるように構成してもよい。この種の付属機器としては、一般に公知の機器を使用することができ、ここではその詳細な説明を省略する。
カード式玉貸機３１の上方側には、カード利用可能表示ランプ３３、端数表示スイッチ３４、連結台方向表示３５及びカード挿入中表示ランプ３６が下方に向かって順に配設されている。
カード式玉貸機３１は、上皿７に設けられた操作ボタン７Ｂ、７Ｃの操作が行われることに基づき、前記付属機器により受け付けられたプリペイドカードの残高の範囲内又は貨幣金額に相当する遊技球を上皿７に払い出す。
【００２３】
更に、賞球払出装置１７の下方には、賞球払出装置１７から払い出された遊技球を下方に案内する案内樋３７が配置されている。かかる案内樋３７には、遊技球誘導路を形成する遊技球誘導部材３８が直接連結されている。遊技球誘導部材３８は、上端が案内樋３７に連結されるとともに平面視で「Ｌ」状に形成された第１誘導部材３８Ａ、及び、第１誘導部材３８Ａに対して回転可能に連結された第２誘導部材３８Ｂとから構成されている。
【００２４】
ここに、第１誘導部材３８Ａは、図１に示すように、カード式玉貸機３１の筐体を表裏方向、即ち、パチンコ機１の裏面側から前面側まで突出するように貫通されている。これより第１誘導部材３８Ａは、その上端（裏口）が案内樋３７を介して賞球払出装置１７に接続され、その前面側端部がカード式玉貸機３１の筐体の前面側に突出される。従って、第１誘導部材３８Ａは、賞球払出装置１７から払い出された遊技球を案内樋３７を経てパチンコ機１の裏面側から前面側で突出した位置まで誘導する。尚、カード式玉貸機３１の内部は比較的空洞部が多く、第１誘導部材３８Ａはカード式玉貸機３１の空洞を有効に利用して貫通させるものである。
【００２５】
パチンコ機１の前面から突出する位置までカード式玉貸機３１を貫通された第１誘導部材３８Ａの端部には、第２誘導部材３８Ｂの一端部が回転可能に連結されている。この点で、第２誘導部材３８Ｂは、カード式玉貸機３１の前面側にて、遊技球誘導部材３８により形成される遊技球誘導路の表口を構成するものである。
第２誘導部材３８Ｂは上皿７まで延出され、その他端部は上皿７に臨んでいる。これにより、賞球払出装置１７から払い出された遊技球は、カード式玉貸機３１の筐体を貫通する第１誘導部材３８Ａを経由してパチンコ機１の裏側から表側に誘導されるとともに、第２誘導部材３８Ｂを介して上皿７まで誘導される。
【００２６】
ここに、前記第２誘導部材３８Ｂの他端部で下方に向けて開口する先端部３８Ｃは、上皿７の上端縁７Ｅよりも下方位置になるように延出されている。これより、第２誘導部材３８Ｂが第１誘導部材３８Ａに対して回転可能に構成されており、また、第２誘導部材３８Ｂの先端部３８Ｃが上皿の上端縁７Ｅよりも下方位置に配置されていることに基づき、上皿７が配設された可動プレート８を開放する際に、第２誘導部材３８Ｂは、可動プレート８が開放されることに対応して、可動プレート８と共に開放方向に回転される。
【００２７】
前記第１実施形態に係るパチンコシステムにおけるパチンコ機１では、賞球払出装置１７に連結されるとともにパチンコ機１の裏面側から前面側に突出され、賞球払出装置１７から払い出された遊技球をパチンコ機１の裏面側から前面側に賞球払出装置１７から直接誘導して上皿７に排出する遊技球誘導部材３８を設けたので、遊技球を遊技領域に発射する遊技球発射装置１２の保守・点検の必要上から上皿７が設けられた可動プレート８を開閉自在に配設することに起因して可動プレート８とパチンコ機１の本体との間に隙間が発生したとしても、遊技領域までピアノ線等の異物を挿入するための開口部は全く存在することはなく、従って、異物が遊技領域まで挿入されることを確実に防止することが可能となる。これより、異物を介して遊技領域の釘、役物に対して行われる各種不正工作を確実に防止することができる。
【００２８】
また、賞球払出装置１７から払い出された遊技球をパチンコ機１の前面から突出した位置まで誘導する第１誘導部材３８Ａの端部と、第１誘導部材３８Ａまで誘導された遊技球を上皿７まで誘導する第２誘導部材３８Ｂの端部とが相互に回転可能に構成され、また、第２誘導部材３８Ｂの先端部３８Ｃが上皿の上端縁７Ｅよりも下方位置に配置されていることに基づき、上皿７が配設された可動プレート８が開放されることに対応して第２誘導部材３８Ｂは、可動プレート８と共に開放方向に回転されるので、遊技球発射装置１２の保守・点検時に可動プレート８が開放された場合においても、第２誘導部材３８Ｂの先端部３８Ｃを上皿７に臨ませた状態を維持しつつ、可動プレート８の開放動作にフレキシブルに追随させることが可能となる。
【００２９】
更に、比較的空洞部が多いカード式玉貸機３１を利用して第１誘導部材３８Ａをカード式玉貸機３１における筐体の裏面側から前面側に貫通させるように構成されているので、カード式玉貸機３１内部の空洞を有効利用して遊技球誘導部材３８を配置することが可能となる。
【００３０】
［第２実施形態］
次に、第２実施形態に係るパチンコシステム及びパチンコ機について図２に基づき説明する。尚、第２実施形態に係るパチンコシステム及びパチンコ機は、基本的に前記第１実施形態に係るパチンコシステム及びパチンコ機１と同様の構成を有しており、賞球払出装置１７から払い出されて案内樋３７まで案内された遊技球を上皿７に誘導する構成においてのみ相違するだけである。従って、以下の説明においては、前記第１実施形態のパチンコシステム及びパチンコ機１と異なる構成にのみ主眼をおいて説明することとする。
【００３１】
図２において、案内樋３７には、遊技球誘導路を形成する遊技球誘導部材３９が直接連結されている。遊技球誘導部材３９は、上端が案内樋３７に連結されるとともに平面視で「Ｌ」状に形成された第１誘導部材３９Ａ、及び、第１誘導部材３９Ａに対して回転可能に連結された第２誘導部材３９Ｂとから構成されている。
【００３２】
ここに、第１誘導部材３９Ａは、図２に示すように、カード式玉貸機３１の筐体を表裏方向、即ち、パチンコ機１の裏面側から前面側まで突出するように貫通されている。これより第１誘導部材３９Ａは、その上端（裏口）が案内樋３７を介して賞球払出装置１７に接続され、その前面側端部がカード式玉貸機３１の筐体の前面側に突出される。従って、第１誘導部材３９Ａは、賞球払出装置１７から払い出された遊技球を案内樋３７を経てパチンコ機１の裏面側から前面側で突出した位置まで誘導する。
【００３３】
パチンコ機１の前面から突出する位置までカード式玉貸機３１を貫通された第１誘導部材３９Ａの端部には、第２誘導部材３９Ｂの一端部が回転可能に連結されている。この点で、第２誘導部材３９Ｂは、カード式玉貸機３１の前面側にて、遊技球誘導部材３９により形成される遊技球誘導路の表口を構成するものである。
第２誘導部材３９Ｂは、上皿７に形成された長孔７Ｆに挿通されるとともに上皿７の内部まで延出されている。これにより、賞球払出装置１７から払い出された遊技球は、カード式玉貸機３１の筐体を貫通する第１誘導部材３９Ａを経由してパチンコ機１の裏側から表側に誘導されるとともに、第２誘導部材３９Ｂを介して上皿７の内部まで誘導される。
【００３４】
ここに、第２誘導部材３９Ｂが第１誘導部材３９Ａに対して回転可能に構成されており、また、第２誘導部材３９Ｂの他端部は上皿７の長孔７Ｆに挿通されていることに基づき、上皿７が配設された可動プレート８を開放する際に、第２誘導部材３９Ｂが可動プレート８の開放を妨げることはなく、第２誘導部材３９Ｂは、長孔７Ｆの許容範囲内で、可動プレート８が開放されることに対応して可動プレート８と共に開放方向に回転される。
【００３５】
前記第２実施形態に係るパチンコ機１では、賞球払出装置１７に連結されるとともにパチンコ機１の裏面側から前面側に突出され、賞球払出装置１７から払い出された遊技球をパチンコ機１の裏面側から前面側に賞球払出装置１７から直接誘導して上皿７に排出する遊技球誘導部材３９を設けたので、遊技球を遊技領域に発射する遊技球発射装置１２の保守・点検の必要上から上皿７が設けられた可動プレート８を開閉自在に配設することに起因して可動プレート８とパチンコ機１の本体との間に隙間が発生したとしても、遊技領域までピアノ線等の異物を挿入するための開口部は全く存在することはなく、従って、異物が遊技領域まで挿入されることを確実に防止することが可能となる。これより、異物を介して遊技領域の釘、役物に対して行われる各種不正工作を確実に防止することができる。
【００３６】
また、賞球払出装置１７から払い出された遊技球をパチンコ機１の前面から突出した位置まで誘導する第１誘導部材３９Ａの端部と、第１誘導部材３９Ａまで誘導された遊技球を上皿７まで誘導する第２誘導部材３９Ｂの端部とが相互に回転可能に構成され、また、第２誘導部材３９Ｂの他端部は上皿７の長孔７Ｆに挿通されていることに基づき、上皿７が配設された可動プレート８を開放する際に、第２誘導部材３９Ｂが可動プレート８の開放を妨げることはなく、第２誘導部材３９Ｂは、長孔７Ｆの許容範囲内で、可動プレート８が開放されることに対応して可動プレート８と共に開放方向に回転されるので、遊技球発射装置１２の保守・点検時に可動プレート８が開放された場合においても、第２誘導部材３９Ｂの先端部を上皿７の内部に配置した状態を維持しつつ、可動プレート８の開放動作にフレキシブルに追随させることが可能となる。
【００３７】
更に、比較的空洞部が多いカード式玉貸機３１を利用して第１誘導部材３９Ａをカード式玉貸機３１における筐体の裏面側から前面側に貫通させるように構成されているので、カード式玉貸機３１内部の空洞を有効利用して遊技球誘導部材３９を配置することが可能となる。
【００３８】
［第３実施形態］
次に、第３実施形態に係るパチンコ機について図３に基づき説明する。尚、第３実施形態に係るパチンコ機は、基本的に前記第１実施形態に係るパチンコ機１と同様の構成を有しており、賞球払出装置１７から払い出されて案内樋３７まで案内された遊技球を上皿７に誘導する構成においてのみ相違するだけである。従って、以下の説明においては、前記第１実施形態のパチンコ機１と異なる構成にのみ主眼をおいて説明することとする。
【００３９】
図３において、案内樋３７には、遊技球誘導部材４０が直接連結されている。遊技球誘導部材４０は、上端が案内樋３７に連結されるとともに平面視で直線状に形成された第１誘導部材４０Ａ、及び、第１誘導部材４０Ａに対して回転可能に連結された第２誘導部材４０Ｂとから構成されている。
【００４０】
ここに、第１誘導部材４０Ａは、図３に示すように、パチンコ機１における固定プレート４１を表裏方向、即ち、パチンコ機１の裏面側から前面側まで突出するように貫通されている。固定プレート４１は前面カバー部材４の背後にあって開放されない部分である。これにより第１誘導部材４０Ａは、その上端（裏口）が案内樋３７を介して賞球払出装置１７に接続され、その前面側端部が固定プレート４１の前面側に突出される。従って、第１誘導部材４０Ａは、賞球払出装置１７から払い出された遊技球を案内樋３７を経てパチンコ機１の裏面側から前面側で突出した位置まで誘導する。
【００４１】
パチンコ機１の前面から突出する位置まで固定部４１を貫通された第１誘導部材４０Ａの端部には、第２誘導部材４０Ｂの一端部が回転可能に連結されている。この点で、第２誘導部材４０Ｂは、固定プレート４１の前面側にて、遊技球誘導部材４０により形成される遊技球誘導路の表口を構成するものである。
第２誘導部材４０Ｂは上皿７まで延出され、その他端部は上皿７に臨んでいる。これにより、賞球払出装置１７から払い出された遊技球は、固定プレート４１を貫通する第１誘導部材４０Ａを経由してパチンコ機１の裏側から表側に誘導されるとともに、第２誘導部材４０Ｂを介して上皿７まで誘導される。
【００４２】
ここに、前記第２誘導部材４０Ｂの他端部で下方に向けて開口する先端部４０Ｃは、上皿７の上端縁７Ｅよりも下方位置になるように延出されている。これより、第２誘導部材４０Ｂが第１誘導部材４０Ａに対して回転可能に構成されており、また、第２誘導部材４０Ｂの先端部４０Ｃが上皿の上端縁７Ｅよりも下方位置に配置されていることに基づき、上皿７が配設された可動プレート８を開放する際に、第２誘導部材４０Ｂは、可動プレート８が開放されることに対応して、可動プレート８と共に開放方向に回転される。
【００４３】
前記第３実施形態に係るパチンコ機１では、賞球払出装置１７に連結されるとともにパチンコ機１の裏面側から前面側に突出され、賞球払出装置１７から払い出された遊技球をパチンコ機１の裏面側から前面側に賞球払出装置１７から直接誘導して上皿７に排出する遊技球誘導部材４０を設けたので、遊技球を遊技領域に発射する遊技球発射装置１２の保守・点検の必要上から上皿７が設けられた可動プレート８を開閉自在に配設することに起因して可動プレート８とパチンコ機１の本体との間に隙間が発生したとしても、遊技領域までピアノ線等の異物を挿入するための開口部は全く存在することはなく、従って、異物が遊技領域まで挿入されることを確実に防止することが可能となる。これより、異物を介して遊技領域の釘、役物に対して行われる各種不正工作を確実に防止することができる。
【００４４】
また、賞球払出装置１７から払い出された遊技球をパチンコ機１の前面から突出した位置まで誘導する第１誘導部材４０Ａの端部と、第１誘導部材４０Ａまで誘導された遊技球を上皿７まで誘導する第２誘導部材４０Ｂの端部とが相互に回転可能に構成され、また、第２誘導部材４０Ｂの先端部４０Ｃが上皿の上端縁７Ｅよりも下方位置に配置されていることに基づき、上皿７が配設された可動プレート８が開放されることに対応して第２誘導部材４０Ｂは、可動プレート８と共に開放方向に回転されるので、遊技球発射装置１２の保守・点検時に可動プレート８が開放された場合においても、第２誘導部材４０Ｂの先端部４０Ｃを上皿７に臨ませた状態を維持しつつ、可動プレート８の開放動作にフレキシブルに追随させることが可能となる。
【００４５】
尚、本発明は前記各実施形態に限定されるものではなく、本発明の要旨を逸脱しない範囲内で種々の改良、変形が可能であることは勿論である。例えば、可動プレート８を閉じた状態で、遊技球誘導部材３８、３９、４０を介して遊技球を上皿７に供給可能にする場合には、第１誘導部材３８Ａ、３９Ａ、４０Ａの遊技球誘導路と第２誘導部材３８Ｂ、３９Ｂ、４０Ｂの遊技球誘導路とが相互に一致するように構成しておき、これに対して、発射装置１２の保守・点検時に可動プレート８を開放した状態では、第１誘導部材３８Ａ、３９Ａ、４０Ａの遊技球誘導路と第２誘導部材３８Ｂ、３９Ｂ、４０Ｂの遊技球誘導路とが相互にずれるように構成することも可能である。かかる構成によれば、可動プレート８を開放した状態で遊技球が第１誘導部材３８Ａ、３９Ａ、４０Ａで遮断され第２誘導部材３８Ｂ、３９Ｂ、４０Ｂには誘導されることはなくなり、可動プレート８の開放時に遊技球が上皿７に不用意に供給されることを確実に防止することができる。
【符号の説明】
【００４６】
１            パチンコ機
７            上皿
７Ｅ          上端縁
７Ｆ          長孔
８            可動プレート
１０          操作ハンドル
１２          発射装置
１７          賞球払出装置
３１          カード式玉貸機
３７          案内樋
３８          遊技球誘導部材
３８Ａ        第１誘導部材
３８Ｂ        第２誘導部材
３８Ｃ        先端部
３９          遊技球誘導部材
３９Ａ        第１誘導部材
３９Ｂ        第２誘導部材
４０          遊技球誘導部材
４０Ａ        第１誘導部材
４０Ｂ        第２誘導部材
４０Ｃ        先端部
４１          固定プレート
【図１】
2011110142.tif 000003
【図２】
2011110142.tif 000004
【図３】
2011110142.tif 000005